(57)【要約】【課題】  水底に敷設の際に潜水作業や重機による作業を必要とせずにシート材を水底の目標場所に落下させ敷設できる水底敷設用シート及びシートの水底敷設方法を提供する。【解決手段】  この水底敷設用シート１０は、水底に敷設されるシート材１の複数箇所に可撓性のフラッグ２を取り付けシート材を水中に落下させるように構成した。【選択図】  図１
2005261290.tif 000002
【特許請求の範囲】
【請求項１】
水底に敷設されるシート材の複数箇所に可撓性のフラッグを取り付け前記シート材を水中で落下させるように構成したことを特徴とする水底敷設用シート。
【請求項２】
前記フラッグが生分解性材料から構成されたことを特徴とする請求項１に記載の水底敷設用シート。
【請求項３】
前記シート材がフレーム材から構成されたことを特徴とする請求項１または２に記載のシートの水底敷設用シート。
【請求項４】
水底に敷設すべきシート材の複数箇所に可撓性のフラッグを取り付け前記シート材を水中で落下させることで水底に敷設することを特徴とするシートの水底敷設方法。
【請求項５】
前記フラッグが生分解性材料から構成され、前記フラッグが前記シート材の水底設置後の所定期間の経過後に分解されることを特徴とする請求項４に記載のシートの水底敷設方法。
【請求項６】
前記シート材がフレーム材から構成されたことを特徴とする請求項４または５に記載のシートの水底敷設方法。
【発明の詳細な説明】
【技術分野】
【０００１】
本発明は、水底に敷設される水底敷設用シート及びシートの水底敷設方法に関するものである。
【背景技術】
【０００２】
一般的に、アマモ場造成シートなどのシートを海底に敷設する際には、潜水作業や重機による作業が必要である。下記特許文献１は、変形可能な浮力体を取り付けた水中敷設シート及び敷設方法を開示し、敷設域で浮力体の浮力を除去することで沈降可能となり、大規模なシートの敷設に適している。しかし、本工法では、シートに浮力を持たし、敷設時に浮力をなくす、の２段階の作業を要するため、小乃至中規模なシート敷設作業の場合、作業規模と比較して大きな労力を必要とし、コスト高につながる。
【０００３】
また、下記特許文献２は、播種シートを周囲に巻いた状態に保持するとともに、海底面上で回転することにより上記シート部材を拡げた状態に敷設する回転体を具備してなる敷設装置を用いて播種シートを敷設する播種シート設置方法を開示し、大規模なシートの敷設が可能であるが、設置に重機が必要であり、手間と工期がかかる。
【特許文献１】特開２００２−１１５２３５公報
【特許文献２】特開平ｌ０−４２６２６号公報
【発明の開示】
【発明が解決しようとする課題】
【０００４】
本発明は、上述のような従来技術の問題に鑑み、水底に敷設の際に潜水作業や重機による作業を必要とせずにシート材を水底の目標場所に落下させ敷設できる水底敷設用シート及びシートの水底敷設方法を提供することを目的とする。
【課題を解決するための手段】
【０００５】
上記目的を達成するために、本発明による水底敷設用シートは、水底に敷設されるシート材の複数箇所に可撓性のフラッグを取り付け前記シート材を水中で落下させるように構成したことを特徴とする。
【０００６】
この水底敷設用シートによれば、フラッグをシート材の複数箇所に取り付けることで、平面状のシート材を水中で自由落下により水底の目標場所に簡単に落下させることができる。
【０００７】
上記水底敷設用シートにおいて前記フラッグが生分解性材料から構成されることが好ましい。これにより、シート材を水底に敷設した後には不要なフラッグを自然に処理することができる。
【０００８】
本発明によるシートの水底敷設方法は、水底に敷設すべきシート材の複数箇所に可撓性のフラッグを取り付け前記シート材を水中で落下させることで水底に敷設することを特徴とする。
【０００９】
このシートの水底敷設方法によれば、フラッグをシート材の複数箇所に取り付けることで、平面状のシート材を水中で自由落下により水底の目標場所に簡単に落下させることができ、水底にシート材を簡単に敷設できる。
【００１０】
上記シートの水底敷設方法において前記フラッグが生分解性材料から構成され、前記フラッグが前記シート材の水底設置後の所定期間の経過後に分解されるようにすることが好ましい。これにより、シートを水底に敷設した後には不要なフラッグを自然に処理することができる。例えば、フラッグに固着性底生動物や海藻が着生しシートの機能に対しフラッグが悪影響を及ぼすことを防止でき、また、船舶の航行の際に引っかかり敷設したシート材ごと消失するようなおそれを回避できる。
【００１１】
また、前記シート材はフレーム材から構成されてもよい。この場合、フレーム材は全体としてある程度の剛性を有することが好ましい。
【発明の効果】
【００１２】
本発明の水底敷設用シート及びシートの水底敷設方法によれば、水底に敷設の際に潜水作業や重機による作業等を必要とせずに簡単にシート材を水底の目標場所に落下させ敷設できる。
【発明を実施するための最良の形態】
【００１３】
以下、本発明を実施するための最良の形態について図面を用いて説明する。図１は本実施の形態による水底敷設用シートを概略的に示す斜視図である。
【００１４】
図１に示すように、水底敷設用シート１０は、水底に敷設されるシート材料からなる正方形状または長方形状のシート材１と、シート材１の内側の四隅に取り付け部材３を介して取り付けられ帯状に延びた可撓性のあるリボン状のフラッグ２と、を備える。
【００１５】
フラッグ２は更に数箇所に取り付けてもよい。また、水中を自由落下するためのシート材１の自重が不足する場合は、シート材１の適当な位置に例えば石等の錘を設置し、自由落下を助長することが好ましい。
【００１６】
フラッグ２は、水中で数週間程度で分解する生分解性樹脂等の生分解性材料から形成することが好ましく、例えば、ポリエステル、ポリウレタン（エステル型ポリウレタン）、ポリアミド（ポリアミノ酸を含む）、ポリビニルアルコール、酸化処理したポリオレフィン、澱粉／汎用高分子ブレンド系、澱粉／ポリビニルアルコールブレンド系、澱粉−自動酸化剤−バインダ樹脂の混合物を配合したポリオレフィン、セルロースアセテート、ポリエステルカーボネート等を用いることができ、これらから水中で分解される速度等を考慮して適宜選択できるが、これらに限定されるものではない。
【００１７】
図１の水底敷設用シート１０をシート材１の敷設対象である例えば海域で海中に投入すると、シート材１はその自重で海水による浮力と抵抗力に抗して海中を鉛直方向下方Ｖに自由落下するが、この落下の間に可撓性のリボン状のフラッグ２が海中で揺れながらシート材１の自由落下を制動することで、シート材１の横方向（鉛直方向下方Ｖに対し直交する方向）への動きを制限する。これにより、シート材１は自由落下により海底の目標場所に近い位置に落下させることができるので、シート材１を目標の海底に簡単に敷設できる。
【００１８】
また、シート材１の海底への設置後、フラッグ２がその場に永久的に残っていると、固着性底生動物や海藻が着生し、例えばシート材１が海底におけるアマモ場造成のためのものであるとき、フラッグがアマモの生育を阻害する可能性があり、また、船舶の航行の際に引っかかり、設置したシート材ごと消失する可能性もあるが、フラッグ２は、水中で数週間程度で分解する生分解性材料からなるので、かかる問題点を解消できる。
【００１９】
また、従来、アマモ場造成シートなどの水底でのシートの敷設では、潜水作業や重機による作業が必要であり、また浮力体を設置したシートでは目標地に着底できなかったのに対し、図１の水底敷設用シート１０によれば、水中に投入するだけで自由落下により手間がかからずに目標に近い位置に着底させることができる。
【００２０】
次に、図１の水底敷設用シート１０の応用例としてアマモ場造成用シートについて図２を参照して説明する。図２はアマモ場造成用シートを概略的に示す斜視図である。
【００２１】
図２のアマモ場造成用シート２０は、比較的広いシート材１１と、シート材１１のシート面に縦横にそれぞれほぼ一定間隔で配置された複数のポット部１２と、シート材１１の内側の四隅に取り付け部材３を介して取り付けられ帯状に延びた可撓性のあるリボン状のフラッグ２と、を備える。フラッグ２は更に数箇所に取り付けてもよい。
【００２２】
各ポット部１２は、シート材１１の上面に開口し下方に突き出るように凹状に形成され有底に構成されている。
【００２３】
ポット部１２内に、アマモ種子を入れて粘性土などに固化材を混合して粒状化させたアマモ種子入り粒状化物３０と、粘性土などに固化材を混合して粒状化させた泥粒状化物３１と、粒状の栄養剤３２とをアマモ育成用材料として詰め込んでいる。
【００２４】
シート材１１及びポット部１２を構成する材料として通水性の比較的高いものを用い、例えば、天然素材からなるヤシガラマットやヤシ繊維製の植生マット等を用いることで、海底設置後にシート２０の下の底生生物の生息を可能にする。具体的には、ファイバーマット（日研化成株式会社）、古紙リサイクルによる緑化用マット（石川県創造化開発協同組合）、ケナフ湿床材（ダイニック株式会社）、ロックウールマット等がある。
【００２５】
また、シート材１１及びポット部１２はアセチルロース等の生分解性樹脂からなる生分解性シートから構成してもよい。シート材１１及びポット部１２を天然素材からなるヤシガラマット等や生分解性シートから構成することで、海底で分解されるまでの間にアマモの根の張る基盤の一部となる。
【００２６】
図２のアマモ場造成用シート２０をアマモ場の造成対象である沿岸域等の海域に運搬し海中に投入することで、アマモ場造成用シート２０は海中を鉛直方向下方Ｖに自由落下し、図１と同様にフラッグ２が海中で揺れながらシート材１１の自由落下を制動してシート材１１の横方向への動きを制限する。これにより、ポット部１２の付いたシート材１１を海底の目標場所に落下させ着底させることができ、シート材１１を潜水作業や重機による作業なしに簡単に目標地点に設置できる。これにより、アマモ場の造成対象の海底に敷設されたシート材１１に付属の複数のポット部１２でアマモ育成用材料のアマモ種子を発芽させ育成することでアマモ場を造成できる。また、１シートを設置するのに掛かる時間は短く、大規模のアマモ場造成にも対応できる。
【００２７】
また、シート材１１の自由落下のための自重が不足する場合には、アマモ育成用材料を詰め込んだ複数のポット部１２に砂や礫を加えて自重を増やすことが好ましい。
【００２８】
以上のように本発明を実施するための最良の形態について説明したが、本発明はこれらに限定されるものではなく、本発明の技術的思想の範囲内で各種の変形が可能である。例えば、図１の水底敷設用シート１０の応用例としてアマモ場造成用シートを説明したが、本発明は、これに限定されずに、海底または河川や湖沼の水底にシート材を設置するのに好適であり、例えば、底質安定シートの敷設等に適用できる。
【００２９】
また、フラッグに関し、シートを目標地点にバランスを崩すことなく設置させるために、フラッグの形状はリボン状が望ましく、フラッグの本数や各フラッグの幅や長さは適宜設定できるが、リボン形状に限定されずに、シートサイズや設置する海域環境によってはブイのような形状に変えることができる。
【００３０】
また、図１のシート材としては、上述のような海底・水底におけるアマモ場造成や底質安定等の各種目的に応じて選択された各種のシート材料であってよいことは勿論である。
【００３１】
また、図２のアマモ場造成用シート２０におけるシート材１１及びポット部１２を構成する材料は通水性の高いものや生分解性材料に限定されずに、他のシート材料であってもよいことは勿論である。
【００３２】
また、アマモ場造成用シート２０は、図２では平面体であるシート材１１から構成したが、図３のような網目状のフレーム材２１から構成してもよく、フレーム材２１の四隅に同様にリボン状のフラッグ２を取り付ける。フレーム材２１は全体として、水中を降下する際に、ほほ平面状態を保つことができる程度に剛性があればよく、網目状の交点にポット部１２を配置し固定する。また、ポット部１２を網目状の空間内に配置し固定してもよい。また、フレーム部材２１を外枠２１ａから構成し、外枠２１ａの内側をネットにより構成してもよい。
【図面の簡単な説明】
【００３３】
【図１】本実施の形態による水底敷設用シートを概略的に示す斜視図である。
【図２】図１の水底敷設用シートを応用したアマモ場造成用シートを概略的に示す斜視図である。
【図３】網目状のフレーム材から構成した図２と同様のアマモ場造成用シートを概略的に示す斜視図である。
【符号の説明】
【００３４】
１ シート材
２ フラッグ
１０ 水底敷設用シート
１１ シート材
１２ ポット部
２０ アマモ場造成用シート
２１ フレーム材
Ｖ 鉛直方向下方
【図１】
2005261290.tif 000003
【図２】
2005261290.tif 000004
【図３】
2005261290.tif 000005